(57)【要約】  【課題】  複数の溶接装置により同一の母材へ対して溶接が行われる場合において十分にノイズを除去できず、ネックの誤検出によりスパッタ発生を低減することができないとともに良好な溶接結果を得ることが困難となるという課題を有していた。  【解決手段】  本発明は、溶接電圧の変化量に基づいてネック検知を禁止する機能を有することにより、誤ってネック検知を行うことを防止して正確にネック判定を行うことができ、スパッタ発生を低減することが可能となる。【選択図】  図１
2006231388.tif 000002
【特許請求の範囲】
【請求項１】
溶接電圧を検出するステップと、前記溶接電圧の変化量を算出するステップと、溶接電圧の変化量と第２の閾値とによる溶滴のくびれ検知をするステップとを有し、前記溶接電圧の変化量と第１の閾値との比較結果に基づいて、溶接電圧の変化量と第２の閾値とによる溶滴のくびれ検知を所定期間禁止するアーク溶接装置の制御方法。
【請求項２】
第１の閾値は溶滴のくびれ誤検知を防ぐための負の閾値であり、第２の閾値は溶滴のくびれを検出するための正の閾値であり、溶接電圧の変化量が第１の閾値より小さい場合には、前記第２の閾値と溶接電圧の変化量とによる溶滴のくびれ検知を所定期間禁止する請求項１記載のアーク溶接装置の制御方法。
【請求項３】
くびれ検知を禁止している所定期間中に、再度溶接電圧の変化量が第１の閾値より小さくなった場合には、その時点から所定期間前記第２の閾値と溶接電圧の変化量とによる溶滴のくびれ検知を禁止する請求項２記載のアーク溶接装置。
【請求項４】
溶接電圧を検出するステップと、前記溶接電圧の変化量を算出するステップと、前記溶接電圧の変化量と溶滴のくびれ判定閾値とに基づいて溶滴のくびれ判定を行うステップと、くびれと判定した場合にその時の短絡処理状態を記憶するステップと、くびれと判定した後に溶接電圧に基づいてアーク期間であるのか短絡期間であるのかを判定し、くびれと判定してから所定期間経過後に短絡期間であると判定した場合には前記記憶した短絡処理状態から短絡処理を行うステップとからなるアーク溶接装置の制御方法。
【請求項５】
溶接電圧を検出するステップと、前記溶接電圧の変化量を算出するステップと、前記溶接電圧の変化量と溶滴のくびれ判定閾値とに基づいて溶滴のくびれ判定を行うステップと、くびれと判定した場合にその時の短絡処理状態を記憶するステップと、くびれと判定した後に溶接電圧に基づいてアーク期間であるのか短絡期間であるのかを判定し、くびれと判定してから所定期間経過後に短絡期間であると判定した場合には前記記憶した短絡処理状態から短絡処理を行うステップと、前記記憶した短絡処理状態から短絡処理を行う時点から所定期間内はアーク期間であるのか短絡期間であるのかの判定を禁止するステップとからなるアーク溶接装置の制御方法。
【請求項６】
溶接電圧と短絡開放判定閾値とに基づいて短絡開放の判定を行うステップと、短絡開放と判定した場合にその時の短絡処理状態を記憶するステップと、短絡開放と判定した後に溶接電圧に基づいてアーク期間であるのか短絡期間であるのかを判定するステップと、短絡開放と判定してから所定期間内に短絡期間であると判定した場合には前記記憶した短絡処理状態から短絡処理を行うステップとからなるアーク溶接装置の制御方法。
【請求項７】
短絡開放と判定してから所定期間内に短絡期間であると判定されなかった場合には、記憶していた短絡処理状態を破棄してアーク処理を行う請求項６記載のアーク溶接装置の制御方法。
【請求項８】
溶接電圧を検出する溶接電圧検出部と、前記溶接電圧検出部が検出する溶接電圧の変化量を算出する演算部と、前記第１の閾値および／または前記第２の閾値と前記演算部の演算結果とを比較する比較部とを備え、前記第１の閾値と前記演算部の算出結果との比較結果に基づいて、前記第２の閾値と前記演算部の演算結果とによる溶滴のくびれ検知を所定期間禁止するアーク溶接装置。
【請求項９】
第１の閾値は溶滴のくびれ誤検知を防ぐための負の閾値であり、第２の閾値は溶滴のくびれを検出するための正の閾値であり、演算部の算出結果が第１の閾値より小さい場合には、前記第２の閾値と前記演算部の演算結果とによるくびれ検知を所定期間禁止する請求項８記載のアーク溶接装置。
【請求項１０】
くびれ検知を禁止している所定期間中に、再度演算部の算出結果が第１の閾値より小さくなった場合には、その時点から所定期間前記第２の閾値と前記演算部の演算結果とによる溶滴のくびれ検知を禁止する請求項９記載のアーク溶接装置。
【請求項１１】
溶接電圧の変化量とくびれ判定閾値とに基づいて溶滴のくびれ判定を行うくびれ判定部と、くびれと判定した場合にその時の短絡処理状態を記憶する記憶部と、くびれと判定した後に溶接電圧に基づいてアーク期間であるのか短絡期間であるのかを判定するアーク／短絡判定部と、くびれと判定してから所定期間経過後に短絡期間であると判定した場合には前記記憶部に記憶した短絡処理状態から短絡処理を行う制御部とからなるアーク溶接装置。
【請求項１２】
溶接電圧の変化量とくびれ判定閾値とに基づいて溶滴のくびれ判定を行うくびれ判定部と、くびれと判定した場合にその時の短絡処理状態を記憶する記憶部と、くびれと判定した後に溶接電圧に基づいてアーク期間であるのか短絡期間であるのかを判定するアーク／短絡判定部と、くびれと判定してから所定期間経過後に短絡期間であると判定した場合には前記記憶部に記憶した短絡処理状態から短絡処理を行い、この短絡処理を開始した時点から所定期間内はアーク期間であるのか短絡期間であるのかの判定を禁止する制御部とからなるアーク溶接装置。
【請求項１３】
溶接電圧と短絡開放判定閾値とに基づいて短絡開放の判定を行う短絡開放判定部と、短絡開放と判定した場合にその時の短絡処理状態を記憶する記憶部と、短絡開放と判定した後に溶接電圧に基づいてアーク期間であるのか短絡期間であるのかを判定するアーク／短絡判定部と、短絡開放と判定してから所定期間内に短絡期間であると判定した場合には前記記憶部に記憶した短絡処理状態から短絡処理を行う制御部とからなるアーク溶接装置。
【請求項１４】
短絡開放と判定してから所定期間内に短絡期間であると判定しなかった場合には、記憶部に記憶していた短絡処理状態を破棄してアーク処理を行う請求項１３記載のアーク溶接装置。
【発明の詳細な説明】
【技術分野】
【０００１】
本発明は、溶接ワイヤと溶接母材（ワーク）との間にアークを発生させて溶接出力制御を行うアーク溶接装置の制御方法およびアーク溶接装置に関するものである。
【背景技術】
【０００２】
近年、消耗電極式アーク溶接装置では、スパッタの発生を抑制するために、短絡が開放されるのを予知して、短絡開放直前に溶接電流を低下させる、いわゆるネック検知制御を行い、アークが再発生する瞬間の溶接電流を低下させてアーク力を抑制していた。
【０００３】
従来の消耗電極式アーク溶接装置において、短絡状態となると、溶接出力を制御する制御回路は、短絡解放するため、所定の傾きに従い電流を増加させていく。そして、この電流の増加に伴って短絡部分のワイヤの溶融およびその溶融金属の母材側への移行が進み、溶接ワイヤと母材側溶融部との間でくびれ（いわゆるネック。以後ネックと言う。）が発生する。このネック部分では断面積が小さくなるため抵抗値が増加する。このため、ネックが生じてくると、短絡制御で電流増加を一定にしているにも関わらず溶接電圧の変化量が大きくなる。そして、この電圧変化量を検出することにより、ネック発生を検知してネック検知制御へと処理を移行する。
【０００４】
ここで、従来の消耗電極式アーク溶接装置では、後述するように溶接に適した出力を得るために交流電源を整流したものをスイッチングするためのスイッチング素子が設けられており、このスイッチング素子の影響により、溶接電圧はスイッチング素子のスイッチングに同期したリップル電圧が重畳され、このリップル電圧のためにネック検出確率が低下する場合があり、そのため、リップル電圧等のノイズを除去するものが知られている（例えば特許文献１参照）。
【０００５】
図８は上記した従来のアーク溶接装置の概略構成を示しており、８１は交流電源を整流する第１の整流素子、８２は第１の整流素子８１の出力をスイッチングする第１のスイッチング素子、８３は溶接負荷に電力を供給するとともに２次側補助巻線を設けた主変圧器、８４は主変圧器８３の出力を整流する第２の整流素子、８５は主変圧器８３の補助巻線の出力を整流する第３の整流素子、８６は第２の整流素子８４と出力端子間に設けられた第２のスイッチング素子、８７は電流検出器、８８は電圧検出器、８９は電圧検出器８８の出力と第３の整流素子８５の出力との差分を演算する差動増幅回路、８１０は第１のスイッチング素子および第２のスイッチング素子を制御することにより溶接出力を制御する溶接制御回路である。
【０００６】
以上のように構成された溶接装置について、その動作を説明する。交流電源から供給された電力は第１の整流素子８１により直流化される。直流化された電力は第１のスイッチング素子８２により溶接状態に応じて必要な電力として主変圧器８３へ入力される。主変圧器８３の出力側から得られる大電流は第２の整流素子８４により直流化され、第２のスイッチング素子８６を介して溶接負荷へ電力供給される。溶接負荷へ流される溶接電流は電流検出器８８により検出され、制御回路にフィードバックされる。また、溶接負荷へ印加される溶接電圧は、電圧検出器８８により検出される。ここで、電圧検出器８８により検出された溶接電圧は、第１のスイッチング素子８２により生じるリップル成分を含んでおり、また、第３の整流素子８５の出力は第１のスイッチング素子８２のリップル成分を含んでいるので、この第３の整流素子８５の出力と電圧検出器８７の出力を差動増幅器８９により差分演算することにより、溶接電圧に含まれるリップル成分を除去することができ、このようにしてリップル成分の除去された溶接電圧は、溶接制御回路８１０に入力されて正確なネック部分の検出や溶接出力制御に利用される。
【特許文献１】特開平１０−１８０４４３号公報
【発明の開示】
【発明が解決しようとする課題】
【０００７】
しかし、従来の溶接装置は、上記したように、この溶接装置自体を構成するスイッチング素子によるリップル成分の影響を除去して溶接出力の制御等を行うことが可能なものであったが、溶接装置自体が発するその他のノイズ、あるいは他の機器の影響によるノイズ、例えば、図９に示すように、複数の溶接装置により同一のワークに対して溶接が行われるており、一方の溶接装置１の出力制御のためのスイッチング動作により他方の溶接装置２の溶接電圧にノイズが発生する場合等においては、これらのノイズを十分に除去できないという課題を有していた。
【０００８】
そして、ノイズ除去ができなかった場合には、ネックの誤検出が生じてしまい、このネック誤検知により本来ネックではないにも関わらずネック検知制御を行ってしまうので、スパッタの発生を抑制することや良好な溶接結果を得ることが困難になるという課題を有していた。また、ノイズ等の状況によっては、短絡開放を誤検知してしまう場合もあった。
【０００９】
本発明は、ネック検出の誤判定あるいは短絡開放誤検知を防止するとともに、状況に適した溶接出力制御を行い、溶接状態を安定化させることによりスパッタ発生量を低減し、良好な溶接結果を得ることのできるアーク溶接装置の制御方法およびアーク溶接装置を提供することを目的とする。
【課題を解決するための手段】
【００１０】
上記課題を解決するために、本発明のアーク溶接装置の制御方法は、溶接電圧を検出するステップと、前記溶接電圧の変化量を算出するステップと、溶接電圧の変化量と第２の閾値とによる溶滴のくびれ検知をするステップとを有し、前記溶接電圧の変化量と第１の閾値との比較結果に基づいて、溶接電圧の変化量と第２の閾値とによる溶滴のくびれ検知を所定期間禁止するものである。
【００１１】
また、上記課題を解決するために、本発明のアーク溶接装置は、溶接電圧を検出する溶接電圧検出部と、前記溶接電圧検出部が検出する溶接電圧の変化量を算出する演算部と、前記第１の閾値および／または前記第２の閾値と前記演算部の演算結果とを比較する比較部とを備え、前記第１の閾値と前記演算部の算出結果との比較結果に基づいて、前記第２の閾値と前記演算部の演算結果とによる溶滴のくびれ検知を所定期間禁止するものである。
【００１２】
そして、上記本発明のアーク溶接装置の制御方法および本発明のアーク溶接装置は、溶接電圧の変化量に基づいてネック検知を禁止することにより、誤ってネック検知を行うことを防止して正確にネック判定を行うものである。
【００１３】
上記課題を解決するために、本発明のアーク溶接装置の制御方法は、溶接電圧を検出するステップと、前記溶接電圧の変化量を算出するステップと、前記溶接電圧の変化量と溶滴のくびれ判定閾値とに基づいて溶滴のくびれ判定を行うステップと、くびれと判定した場合にその時の短絡処理状態を記憶するステップと、くびれと判定した後に溶接電圧に基づいてアーク期間であるのか短絡期間であるのかを判定し、くびれと判定してから所定期間経過後に短絡期間であると判定した場合には前記記憶した短絡処理状態から短絡処理を行うステップとからなるものである。
【００１４】
また、上記課題を解決するために、本発明のアーク溶接装置は、溶接電圧の変化量とくびれ判定閾値とに基づいて溶滴のくびれ判定を行うくびれ判定部と、くびれと判定した場合にその時の短絡処理状態を記憶する記憶部と、くびれと判定した後に溶接電圧に基づいてアーク期間であるのか短絡期間であるのかを判定するアーク／短絡判定部と、くびれと判定してから所定期間経過後に短絡期間であると判定した場合には前記記憶部に記憶した短絡処理状態から短絡処理を行う制御部とからなるものである。
【００１５】
そして、上記本発明のアーク溶接装置の制御方法および本発明のアーク溶接装置は、溶接電圧が変動した場合にネック状態の検出を誤った場合においても、短絡制御に戻すことにより、ネック誤検出によるスパッタの発生を抑制するものである。
【００１６】
上記課題を解決するために、本発明のアーク溶接装置の制御方法は、溶接電圧を検出するステップと、前記溶接電圧の変化量を算出するステップと、前記溶接電圧の変化量と溶滴のくびれ判定閾値とに基づいて溶滴のくびれ判定を行うステップと、くびれと判定した場合にその時の短絡処理状態を記憶するステップと、くびれと判定した後に溶接電圧に基づいてアーク期間であるのか短絡期間であるのかを判定し、くびれと判定してから所定期間経過後に短絡期間であると判定した場合には前記記憶した短絡処理状態から短絡処理を行うステップと、前記記憶した短絡処理状態から短絡処理を行う時点から所定期間内はアーク期間であるのか短絡期間であるのかの判定を禁止するステップとからなるものである。
【００１７】
また、上記課題を解決するために、本発明のアーク溶接装置は、溶接電圧の変化量とくびれ判定閾値とに基づいて溶滴のくびれ判定を行うくびれ判定部と、くびれと判定した場合にその時の短絡処理状態を記憶する記憶部と、くびれと判定した後に溶接電圧に基づいてアーク期間であるのか短絡期間であるのかを判定するアーク／短絡判定部と、くびれと判定してから所定期間経過後に短絡期間であると判定した場合には前記記憶部に記憶した短絡処理状態から短絡処理を行い、この短絡処理を開始した時点から所定期間内はアーク期間であるのか短絡期間であるのかの判定を禁止する制御部とからなる
ものである。
【００１８】
そして、上記本発明のアーク溶接装置の制御方法および本発明のアーク溶接装置は、記憶した短絡処理状態から短絡処理を行うことにより生じる電圧変動による短絡開放の誤判定を防止し、安定した溶接を行うものである。
【００１９】
上記課題を解決するために、本発明のアーク溶接装置の制御方法は、溶接電圧と短絡開放判定閾値とに基づいて短絡開放の判定を行うステップと、短絡開放と判定した場合にその時の短絡処理状態を記憶するステップと、短絡開放と判定した後に溶接電圧に基づいてアーク期間であるのか短絡期間であるのかを判定するステップと、短絡開放と判定してから所定期間内に短絡期間であると判定した場合には前記記憶した短絡処理状態から短絡処理を行うステップとからなるものである。
【００２０】
また、上記課題を解決するために、本発明のアーク溶接装置は、溶接電圧と短絡開放判定閾値とに基づいて短絡開放の判定を行う短絡開放判定部と、短絡開放と判定した場合にその時の短絡処理状態を記憶する記憶部と、短絡開放と判定した後に溶接電圧に基づいてアーク期間であるのか短絡期間であるのかを判定するアーク／短絡判定部と、短絡開放と判定してから所定期間内に短絡期間であると判定した場合には前記記憶部に記憶した短絡処理状態から短絡処理を行う制御部とからなるものである。
【００２１】
そして、上記本発明のアーク溶接装置の制御方法および本発明のアーク溶接装置は、溶接電圧が変動した場合に短絡開放の検出を誤った場合においても、短絡制御に戻すことにより、短絡開放誤検知によるスパッタの発生を抑制するものである。
【発明の効果】
【００２２】
以上のように、本発明は、溶接電圧の変化量に基づいてネック検知を禁止する機能を有することにより、誤ってネック検知を行うことを防止して正確にネック判定を行うことができ、スパッタ発生を低減することができる。
【発明を実施するための最良の形態】
【００２３】
以下、本発明を実施するための最良の形態について、図１から図７を用いて説明する。
【００２４】
（実施の形態１）
図１は本実施の形態におけるアーク溶接装置の概略構成を示すブロック図であり、図１において、１は電力を供給する交流電源、２は交流電源１の出力を整流する第１の整流素子、３は第１の整流部２の出力を溶接に適した出力を得るためにスイッチングする第１のスイッチング素子、４は溶接負荷に電力供給する主変圧器、５は主変圧器４の出力を整流する第２の整流素子、６は一端を第２の整流素子５に接続された第２のスイッチング素子、７は第２のスイッチング素子６に並列に接続された抵抗、８は第２のスイッチング素子６と直列に接続され溶接電流出力を安定化させるためのリアクタ、９は溶接電流の出力量を検出する電流検出器、１０は溶接電圧を検出する電圧検出器である。
【００２５】
また、１９は溶接時に溶接ワイヤ部に生じるくびれ（以後ネックという）の発生を検出するネック検出手段であり、このネック検出手段１９は、電圧検出器１０の出力に基づいて電圧変化量を求める電圧変化量検出部１１と、電圧変化量検出部１１の出力に基づいて溶接中に短絡状態からアーク状態へ移行する際に発生するネックの検出判定を行うネック判定部１２と、ネック判定部１２の判定処理を禁止するネック検出禁止部１３とから構成される。
【００２６】
また、１４は電圧検出器１０の出力に基づいて溶接状態におけるアーク状態あるいは短絡状態を検出するＡ／Ｓ判定部、２０は溶接制御手段である。この溶接制御手段２０は、溶接出力制御部１５と、制御状態記憶部１６と、タイマ部１７とを備えている。なお、溶接出力制御部１５は、電流検出器９の出力、電圧検出器１０の出力、ネック検出手段１９の出力、Ａ／Ｓ判定部１４からの出力に基づいて第１のスイッチング素子３および第２のスイッチング素子６を制御することで溶接出力を制御するものである。制御状態記憶部１６は、溶接出力制御部１５の溶接制御状態を一時的に記憶するものである。タイマ部１７は、溶接出力制御部１５からの指令に基づいて時間を計測するものである。
【００２７】
以上のように構成されたアーク溶接装置についてその動作を説明する。
【００２８】
交流電源１から供給された電力は、第１の整流素子２により直流化され、第１のスイッチング素子３へ直流電源として供給される。第１のスイッチング素子３は、溶接出力制御部１５によりオン／オフ制御され、これにより主変圧器４へ供給される電力が制御される。そして、主変圧器４に供給された電力は、第２の整流素子５により直流化され、溶接負荷に供給される。
【００２９】
ここで、通常の溶接時においては、第２のスイッチング素子６はオンされた状態であり、リアクタ８を介して溶接負荷に溶接電流が供給される。なお、急峻に溶接負荷に流れる溶接電流を低下させる必要が生じた場合（例えば、アーク状態から短絡状態になった場合やくびれ検知した場合等）、溶接出力制御部１５は、第２のスイッチング素子６をオフして低インピーダンスの溶接電流供給路を遮断し、主変圧器４に蓄積されたエネルギーは、第２のスイッチング素子６に並列に接続された抵抗７を介してエネルギー消費される。
【００３０】
また、電流検出器９は、溶接負荷に供給される溶接電流を検出して溶接電流Ｉａとして出力し、電圧検出器１０は、溶接負荷に印加された溶接電圧を検出して溶接電圧Ｖａとして出力する。
【００３１】
次に、図２を用いて、Ａ／Ｓ判定部１４の基本的な動作について説明する。
【００３２】
図２は、短絡溶接時における溶接電流（Ｉａ）と溶接電圧（Ｖａ）の波形を示した模式図である。
【００３３】
Ａ／Ｓ判定部１４は、電圧検出器１０により検出された溶接電圧Ｖａと、短絡判定のために設定されており図示しない記憶部に記憶されている短絡判定レベルＶｓ０とを比較し、ＶａがＶｓ０以下となる場合には溶接が短絡状態になったと判定して短絡状態を示すＡ／Ｓ信号を出力する。溶接出力制御部１５は、Ａ／Ｓ判定部１４から短絡状態を示すＡ／Ｓ信号を受けると、第２のスイッチング素子６をオフすることにより短絡が生じることによる溶接電流の急激な増加を防止するとともに、溶接電流Ｉａを予め設定された短絡初期電流Ｉｓ０まで低下するように制御する。その後、溶接出力制御部１５は、電流を短絡初期電流Ｉｓ０から所定の増加量で増加させることができるように第２のスイッチング素子をオンするとともに第１のスイッチング素子３を制御してスムーズな短絡解放を行うための短絡電流制御を行う。
【００３４】
また、Ａ／Ｓ判定部１４は、短絡状態と判定した後は、溶接電圧Ｖａと短絡開放判定のために設定されており図示しない記憶部に記憶されている短絡解放判定レベルＶａｒｃとを比較し、ＶａがＶａｒｃ以上となった場合には溶接状態がアーク状態になったと判断してアーク状態を示すＡ／Ｓ信号を出力する。
【００３５】
次に、図３を用いて、ネック検出手段１９におけるネック検出動作について説明する。
【００３６】
図３は短絡溶接時の溶接電流（Ｉａ）と、溶接電圧（Ｖａ）と、溶接電圧変化量（ｄｖ／ｄｔ）の波形を示した模式図である。
【００３７】
ネック検出手段１９を構成する電圧変化量検出部１１は、所定時間あたりの溶接電圧Ｖａの変化量ｄｖ／ｄｔを検出する。Ａ／Ｓ判定部１４からネック検出手段１９に対して短絡状態を示す信号が入力されている場合において、ネック判定部１２は、電圧変化量検出部１１の出力である電圧変化量ｄｖ／ｄｔと、図示しない記憶部に予め設定されたネック検出レベル値ｄＶｎとを比較し、電圧変化量ｄｖ／ｄｔがネック検出レベル値ｄＶｎより大きい場合であり、かつ、後述するネック検出禁止部１３がネック検出を禁止していない場合には、ネックが発生したとしてネックの発生を示すネック検出信号Ｓｎを出力する。なお、短絡初期状態（例えば溶接電流Ｉａが低い状態）においては、溶接電圧Ｖａの値が振動的となる場合があり、この時には電圧変化量ｄｖ／ｄｔが大きくなりネック誤判定を生じる場合もあるので、ネック判定部１２がネック判定を行う条件として、溶接電流Ｉａが予め設定されたネック電流レベルＩｎ以上であることを追加してネック判定を行うようにすることが望ましい。
【００３８】
次に、上述したネック検出禁止部１３の動作について、図１と図４を用いて説明する。なお、このネック検出禁止部１３の動作はネックの誤検出を防止するためのものであり、本実施の形態におけるポイントとなるものである。
【００３９】
図４は短絡溶接時の溶接電流（Ｉａ）と溶接電圧（Ｖａ）と溶接電圧変化量（ｄｖ／ｄｔ）の波形およびＡ／Ｓ信号の状態を示した模式図である。図４では、ノイズあるいは外乱により溶接電圧Ｖａの波形が波状に変動している箇所がある例を示している。なお、この変動の要因としては、溶接装置内で発生したノイズあるいは外部の機器からのノイズや外乱、例えば、本実施の形態に示す溶接装置と他の溶接装置とを用いて同一の溶接部材に対して溶接を行っている場合に、他の溶接装置における出力制御のためのスイッチング動作等により本実施の形態の溶接装置の溶接電圧にノイズが発生する場合などが挙げられる。
【００４０】
短絡溶接時において、短絡制御時には溶接電流Ｉａが徐々に増加されていくため、溶接電圧Ｖａは単調的な増加傾向を示すが、ノイズあるいは外乱の影響により、図４に示すように、溶接電圧Ｖａに一度低下してその後上昇して再度低下するといったような波状の変動が生じてしまう場合がある。この場合、ネックが生じていないにも関わらずネックが生じていると誤検知してしまうことがある。以下に、このようなノイズ等による電圧変動が生じた場合のネック誤検知を防ぐための動作について説明する。
【００４１】
ノイズ等の影響により変動（一度低下してその後上昇して再度低下して元に戻る）した溶接電圧Ｖａにおいては、電圧が一度低下するため、電圧変化量検出部１１の出力であるｄｖ／ｄｔは負の値となり、図示しない記憶部に予め記憶されているくびれ（ネック）誤検知を防ぐための閾値ｄＶｅ（負の値の閾値）よりも小さな値（絶対値としては大）となる。ネック検出禁止部１３はこの電圧変化量検出部１１の出力を入力とし、ｄＶｅ（負の値の閾値）と比較する。そして、ｄｖ／ｄｔがｄＶｅ（負の値の閾値）より小さい場合には、この時点から所定時間の間（Ｔｄ）ネック検知禁止信号をネック判定部１２に出力し、ネック判定部１２によるネック判定を禁止させる。ここで、ネック判定の禁止としては、所定時間の間ネック判定部１２でｄｖ／ｄｔとｄＶｎとの比較を行わないとしてもよいし、比較は行うがｄｖ／ｄｔがｄＶｎより大きな場合であってもネック検出信号Ｓｎを出力しないようにしてもよい。
【００４２】
以上により、ノイズや外乱により溶接電圧Ｖａに変動が生じた場合であっても、誤ってネック判定してしまうことを防止でき、正確にネック判定を行うことができることでスパッタ発生を低減することが可能となる。
【００４３】
なお、ネック検出禁止部１３がネック検知禁止信号を出力するタイミングは、ｄｖ／ｄｔがｄＶｅ（負の値の閾値）より小さくなった時としたが、ｄｖ／ｄｔがｄＶｅより小さくなった後にｄＶｅより大きくなった時点としてもよく、この時点から所定時間ネック検知禁止信号を出力するようにしてもよい。
【００４４】
また、ネック検知を禁止する所定の時間は、例えば、ノイズの要因となるスイッチング素子等のスイッチング時間などを加味して設定したり、実験等に基づいて決定するようにしてもよい。
【００４５】
また、ネック禁止期間中にもネック検出禁止部１３によるｄｖ／ｄｔとｄＶｅの比較を行い、再度ｄｖ／ｄｔがｄＶｅより小さくなった時点あるいはｄｖ／ｄｔがｄＶｅより大きくなった時点から所定時間ネック検知を禁止するようにしてもよい。
【００４６】
（実施の形態２）
本実施の形態において、実施の形態１と同様な箇所については同一の符号を付して詳細な説明を省略する。また、図１に示す溶接装置の構成および動作についての説明も省略している部分があるが、本実施の形態で示していないものについては基本的には実施の形態１と同様である。本実施の形態では、ノイズあるいは外乱により溶接電圧Ｖａの波形が変動した場合のネック誤検知の影響を低減するための制御について、図１と図５を用いて説明する。
【００４７】
実施の形態１と異なるのは、ノイズ等の影響による溶接電圧の変動が、実施の形態１で示したような、一度低下してその後上昇して再度低下して元に戻るといったような電圧変動（ノイズ）ではなく、上昇してその後低下する凸状の電圧変動（ノイズ）、すなわち、ｄｖ／ｄｔがｄＶｅより小さくならない場合のネック誤検知の影響を低減するようにした点である。
【００４８】
もう少し詳しく説明すると、ｄｖ／ｄｔがｄＶｅより小さくならないので前述したようなｄｖ／ｄｔとｄＶｅとの比較によるネック検知禁止処理を行うことができず、ノイズや溶接環境の変化（例えば、シールドガス／ワイヤ送給状態の乱れや、油膜等による母材（ワーク）の表面状態の変化等）による電圧変動であってもネック検知してしまうが、このようにノイズ等による電圧変動をネック検知してしまった場合に溶接性に与える影響を低減するためのものである。
【００４９】
なお、上昇してその後低下して通常状態に戻る電圧変動（ノイズ）は、図５には明示していないが、これは凸状の変動である。
【００５０】
ここで、まず、ネック誤検知ではない、すなわち、ネック検知が行われ、その後の所定時間内にアークに移行する正常の移行の場合の処理について説明する。
【００５１】
ネック検出手段１９によりネックが検出された場合の溶接出力制御部１５の動作について、図１と図５を用いて説明する。図５は、ネック検出された場合のネック検知制御による溶接電流（Ｉａ）と溶接電圧（Ｖａ）の波形を示した模式図である。
【００５２】
溶接出力制御部１５は、ネック判定部１２からネック検出信号Ｓｎを受けると、素早く溶接電流Ｉａが予め設定されたネック制御電流Ｉｎ０となるように第２のスイッチング素子６をオフして溶接電流ＩａをＩｎ０まで低下させる。その後、溶接出力制御部１５は、第２のスイッチング素子６をオンするとともに第１のスイッチング素子３を制御し、溶接電流Ｉａが所定時間あるいはアーク状態となるまでの間Ｉｎ０となるよう制御し、Ａ／Ｓ判定部１４からのアーク状態判定出力を待つ。
【００５３】
また、溶接出力制御部１５はネック検出された時点における制御状態（例えば、電流値、電流の増加量、短絡開始からの経過時間等）を制御状態記憶部１６に記憶させるとともに、タイマ部１７に計測開始指令を出力し、タイマ部１７による時間計測を開始させる。溶接出力制御部１５は、タイマ部１７が計時する予め設定された時間Ｔｎ内にＡ／Ｓ判定部１４からアーク状態を示すＡ／Ｓ信号を受けると、アーク長を適正な値に保つようにアーク時の溶接出力制御を行う（図５の実線で示す波形となる制御）。
【００５４】
次に、ネック誤検知した場合、すなわち、ノイズや溶接環境の変化等により生じた電圧変動によるネック検知が行われ、その後の所定時間内にアークに移行しなかった場合の処理について説明する。
【００５５】
上述したタイマ部１７による時間計測を開始させた後の処理について、タイマ部１７が計測する予め設定されたＴｎ時間内にＡ／Ｓ判定部１４からアーク状態である信号が入力されなかった場合には、溶接出力制御部１５は、タイマ部１７の動作を停止させるとともに、制御状態記憶部１６に記憶しておいた制御状態に従い、再度短絡時の溶接電流制御を再開し、Ａ／Ｓ判定部１４からのアーク状態を示すＡ／Ｓ信号を待つ（図５の点線で示す波形となる制御）。また、この場合、入力されるＡ／Ｓ信号がアーク状態を示すものとなるまでの間は、ネック判定部１４が出力するネック検出信号Ｓｎを無視するようにすることで、制御状態記憶部１６に記憶しておいた制御状態に従って再度短絡時の溶接電流制御を再開することによる溶接電圧への影響にて溶接電圧が変動したとしても、誤ってネック検知と判断してしまうことを防ぐことができる。
【００５６】
なお、時間Ｔｎは、ネック検知から短絡開放までの時間を実験的に計測するなどして決定してもよい。
【００５７】
以上により、溶接電圧Ｖａが変動した場合にネック状態の検出を誤った場合においても、強制的な短絡解放を行うことがなく短絡制御に戻すことで、ネック誤検出によるスパッタの発生を抑制することができるとともに溶接状態に適した溶接制御を実現することができ、良好な溶接結果を得ることができる。
【００５８】
次に、所定時間Ｔｎ内にアーク状態へ移行しなかった場合、上記したように再度短絡時の溶接電流制御を再開する、すなわち、ネック電流制御から短絡制御へ移行するが、このネック電流制御から短絡制御へ移行することに影響されて溶接電圧が変動してしまい、これにより誤って短絡開放を検知してしまわないための制御について、図６を用いて説明する。
【００５９】
ネック検出された後、Ｔｎ時間内にＡ／Ｓ判定部１４からアーク状態である信号が入力されなかった場合には、溶接出力制御部１５は、タイマ部１７の動作を停止させるとともに、制御状態記憶部１６に記憶しておいた制御状態に従って再度短絡時の溶接電流制御を再開させ、タイマ部１７を動作（Ｔｓを計測）させるとともにＡ／Ｓ判定を無効とする。そして、この状態において溶接出力制御部１５は、溶接状態を短絡状態として強制的に処理する。
【００６０】
このようにすることで、溶接電圧のレベルが比較的大きい（Ｖａｒｃに近い）状態でネック電流制御から短絡制御へ移行され、この移行の影響を受けて溶接電圧が変動してＶａｒｃを越える大きさになったとしても、Ｔｓ時間Ａ／Ｓ判定を無効としているので短絡開放と判定することはない、すなわち、誤って短絡開放を検知してしまうことはなくなり、安定した溶接を行うことができる。
【００６１】
また、タイマ部１７の値が所定のＴｓ時間経過した後は、溶接出力制御部１５は、Ａ／Ｓ判定部１４からのＡ／Ｓ信号を有効として短絡開放を判定可能な状態とし、溶接状態がアーク状態となるまで短絡処理を続行する。
【００６２】
なお、溶接出力制御部１５は、ネック電流制御から短絡制御へ移行した時点、すなわち、Ｔｓ時間の計測を開始した時点から、アーク状態になったことを示すＡ／Ｓ信号が入力されるまでの間は、ネック判定部１２が出力するネック検出信号Ｓｎを無視するものとする。
【００６３】
このようにすることで、ネック電流制御から短絡制御へ移行することに影響されて溶接電圧が変動し、ネック検知と判定してしまう電圧変動量になったとしても、誤ってネック制御を行うことがないので、安定した溶接を行うことができる。
【００６４】
（実施の形態３）
本実施の形態において、実施の形態１または２と同様な箇所については同一の符号を付して詳細な説明を省略する。また、図１に示す溶接装置の構成および動作についての説明も省略している部分もあるが、本実施の形態で示していないものについては基本的には実施の形態１と同様である。
【００６５】
実施の形態１または２と異なるのは、ノイズあるいは外乱により溶接電圧Ｖａの波形が変動した場合に、図７に示すように電圧の変動が大きく、短絡開放誤検知が生じる場合に、溶接状態に適した溶接制御を実現して良好な溶接結果を得るようにした点である。
【００６６】
図１と図７を用いて、本実施の形態における、短絡状態からアーク状態へ移行する場合の溶接出力制御部１５の制御について説明する。
【００６７】
図７は、短絡状態からアーク状態へ移行する場合の、制御される溶接電流（Ｉａ）および溶接電圧（Ｖａ）の波形を示した模式図である。そして、図７に示すように、電圧波形には、短期間ではあるが短絡開放判定レベルＶａｒｃを越える電圧変動が生じており、これはノイズあるいは外乱によるものである。
【００６８】
以下に、本実施の形態における溶接装置の制御について示す。
【００６９】
上記ノイズ等による大きな電圧変動により、Ａ／Ｓ判定部１４はアーク状態を示す信号を出力し、溶接制御出力部１５はこの信号を受けると、直前に行っていた制御状態を制御状態記憶部１６に記憶させるとともにタイマ部１７に計測開始指令を送りタイマ部１７に時間計測を開始させる。
【００７０】
その後、溶接出力制御部１５は、タイマ部１７が計測する所定の時間Ｔａ内にＡ／Ｓ判定部１４から短絡状態を示すＡ／Ｓ信号を受けると、すなわち、溶接電圧が短絡状態に戻っていると、タイマ部１７の動作を停止させるとともに、制御状態記憶部１６に記憶しておいた制御状態に従い、短絡時の溶接電流制御を再開する。
【００７１】
以上により、ノイズ等の影響による電圧変動により誤って短絡開放と判定した場合であったも、その後、短絡時の電流制御に戻すことができるので、短絡開放誤検知の影響を抑制し、安定した溶接を行うことができる。
【００７２】
次に、正常にネックが検知されてネック制御が行われ、その後正常に短絡開放が行われた後の制御について説明する。
【００７３】
正常に短絡が開放された時点でタイマ部１７によるＴａ時間の計測を開始し、Ｔａ時間の間はアーク状態を継続させ、タイマ部１７による時間計測が予め設定された所定の時間Ｔａを越えた状態において、Ａ／Ｓ判定部１４からアーク状態を示すＡ／Ｓ信号を受けると、溶接出力制御部１５はタイマ部１７の動作を停止させ、前回のアーク状態になった時に制御状態記憶部１６に記憶しておいた制御状態を破棄し、アーク状態における溶接制御を行う。なお、これ以降において再びＡ／Ｓ判定部１４から短絡状態を示すＡ／Ｓ信号を受けた場合は、短絡状態になったとして短絡時の処理を短絡初期の制御より行う。
【００７４】
以上により、一度アーク状態と判定した後に一定期間アーク状態を発生させることが可能となり、アーク不安定な状況を低減することによりスパッタ発生を低減することが可能となる。
【００７５】
また、ノイズ等によるアーク状態の誤判定に対しても適切に溶接制御することが可能となり、良好な溶接結果を得ることができる。
【００７６】
なお、実施の形態１から３で用いた、Ｉｓ０、Ｖａｒｃ、Ｖｓ０、Ｉｎ０、Ｉｎ、といったものは、実験等に基づいて決定すればよい。
【産業上の利用可能性】
【００７７】
本発明のアーク溶接装置の制御方法およびアーク溶接装置は、溶接電圧の変化量に基づいてネック検知を禁止することにより、ノイズ等によって溶接電圧が変動した場合であっても、誤ってネック検知を行うことを防止して正確にネック判定を行うことができるので、例えば、ノイズ等の影響が多い場所で使用するものとして産業上有用である。
【図面の簡単な説明】
【００７８】
【図１】本発明の実施の形態あから３におけるアーク溶接装置の概略構成を示すブロック図
【図２】本発明の実施の形態１における短絡溶接時における溶接電流と溶接電圧の波形を示す模式図
【図３】本発明の実施の形態１における短絡溶接時の溶接電流と溶接電圧と溶接電圧変化量の波形およびＡ／Ｓ信号の状態を示す模式図
【図４】本発明の実施の形態１における短絡溶接時の溶接電流と溶接電圧と溶接電圧変化量の波形およびＡ／Ｓ信号の状態を示す模式図
【図５】本発明の実施の形態２におけるネック検出された場合のネック検知制御による溶接電流と溶接電圧の波形を示す模式図
【図６】本発明の実施の形態２における短絡溶接時における溶接電流と溶接電圧の波形を示す模式図
【図７】本発明の実施の形態３における短絡状態からアーク状態へ移行する場合の制御される溶接電流および溶接電圧の波形を示す模式図
【図８】従来のアーク溶接装置の概略構成を示すブロック図
【図９】一方の溶接装置のスイッチングが他の溶接装置の電圧波形に影響を与える例を示す模式図
【符号の説明】
【００７９】
１  交流電源
２  第１の整流素子
３  第１のスイッチング素子
４  主変圧器
５  第２の整流素子
６  第２のスイッチング素子
７  抵抗
８  リアクタ
９  電流検出器
１０  電圧検出器
１１  電圧変化量検出部
１２  ネック判定部
１３  ネック検出検知部
１４  Ａ／Ｓ判定部（アーク／短絡判定部）
１５  溶接出力制御部
１６  制御状態記憶部
１７  タイマ部
１９  ネック検出手段
２０  溶接制御手段
【図１】
2006231388.tif 000003
【図２】
2006231388.tif 000004
【図３】
2006231388.tif 000005
【図４】
2006231388.tif 000006
【図５】
2006231388.tif 000007
【図６】
2006231388.tif 000008
【図７】
2006231388.tif 000009
【図８】
2006231388.tif 000010
【図９】
2006231388.tif 000011